(57)【要約】      （修正有）【課題】基板ベースの一部の再利用を可能にした遊技機の制御基板ユニットを提供する。【解決手段】筐体に固定される基板ベース９と、遊技動作を制御する制御基板１０と、制御基板１０を収容し、かつ基板ベース９に固定される基板ケース２０とを備える。基板ベース９は、筐体に固定される第２ベース部材６０と、第２ベース部材６０にネジ４２により着脱可能に接続され、かつ基板ケース２０の封止部２２２が封止部材６６により固定される封止固定部材６５を含む。封止固定部材６５を第２ベース部材６０に接続したネジ４２の頭部は、基板ケース２０により隠蔽される。【選択図】図４
2014087598.tif 000002
【特許請求の範囲】
【請求項１】
遊技機に固定される基板ベースと、遊技動作を制御する制御基板と、前記制御基板を収容し、かつ前記基板ベースに固定される基板ケースとを備え、前記基板ケースに設けた封止部を、封止部材により前記基板ベースに固定することによって、前記基板ケースを前記基板ベースに封止するようにした遊技機の制御基板ユニットにおいて、
前記基板ベースは、前記筐体に固定されるベース部材と、前記ベース部材に取付部材により着脱可能に接続され、かつ前記封止部が前記封止部材により固定される封止固定部材を含み、
前記封止固定部材を前記ベース部材に固定した前記取付部材の頭部は、前記基板ケースを前記ベース部材から取り外さない限り、前記封止固定部材を前記ベース部から分離できないように、前記封止部を前記封止部材により前記封止固定部材に固定した状態において前記基板ケースにより隠蔽されることを特徴とする遊技機の制御基板ユニット。
【発明の詳細な説明】
【技術分野】
【０００１】
本発明は、遊技を制御する制御基板を基板ケース内に収容した遊技機の制御基板ユニットに関する。
【背景技術】
【０００２】
従来、スロットマシン、パチンコ機等の遊技機の制御基板ユニットにおいては、遊技を制御する制御基板を透明な基板ケース内に収容すると共に、締め方向しか回せないワンウェイネジ等で構成される封止部材をもって、基板ケースに設けた封止部を、筐体の後板に固定される基板ベースに結合することによって、基板ケースを封止して、制御基板の不正改造ができないようにしている。また、制御基板の検査等で基板ケースを開封する必要がある場合には、封止部材で封止された封止部を工具等で切断することによって、基板ケースを筐体から取り外せるようになっている（例えば、特許文献１参照）。
【先行技術文献】
【特許文献】
【０００３】
【特許文献１】特開平２００６−９５０４７号公報
【発明の概要】
【発明が解決しようとする課題】
【０００４】
しかし、上述の特許文献１に記載されたような遊技機の制御基板ユニットにおいては、封止部を切断しない限り、基板ベースと基板カバーとを互いに分離することができないように接続されているため、基板ベースを再利用することは困難である。すなわち、基板ベースと基板カバーとを、封止部を切断して互いに分離し得たとしても、基板ベースに係合した封止部材と共に基板ケースから切断された封止部が基板ベースに付着して簡単には外せないことから、基板ベースを再利用することは容易なことではない。
【０００５】
本発明は、上述のような課題に鑑み、基板ベースの一部の再利用を可能にした遊技機の制御基板ユニットを提供することを目的とする。
【課題を解決するための手段】
【０００６】
本発明によると、上記課題は、次のようにして解決される。
遊技機に固定される基板ベースと、遊技動作を制御する制御基板と、前記制御基板を収容し、かつ前記基板ベースに固定される基板ケースとを備え、前記基板ケースに設けた封止部を、封止部材により前記基板ベースに固定することによって、前記基板ケースを前記基板ベースに封止するようにした遊技機の制御基板ユニットにおいて、前記基板ベースは、前記筐体に固定されるベース部材と、前記ベース部材に取付部材により着脱可能に接続され、かつ前記封止部が前記封止部材により固定される封止固定部材を含み、前記封止固定部材を前記ベース部材に固定した前記取付部材の頭部は、前記基板ケースを前記ベース部材から取り外さない限り、前記封止固定部材を前記ベース部から分離できないように、前記封止部を前記封止部材により前記封止固定部材に固定した状態において前記基板ケースにより隠蔽される。
【発明の効果】
【０００７】
本発明によれば、次のような効果が奏せられる。
基板ベースをベース部材と封止固定部材とに分離可能としたことにより、封止固定部材をベース部材から取り外すことで、ベース部材を再利用することができる。
さらに、基板ケースをベース部材に固定した状態において、封止固定部材をベース部材から取り外すことはできない。
【図面の簡単な説明】
【０００８】
【図１】本発明を適用した遊技機の正面図である。
【図２】前扉を開けた状態の遊技機の正面図である。
【図３】図２におけるIII−III線縦断面図である。
【図４】制御基板ユニットの分解斜視図である。
【図５】制御基板ユニットの正面図である。
【図６】制御基板ユニットの斜視図である。
【図７】制御基板を基板ケースに収容した状態の制御基板ユニットの分解斜視図である。
【発明を実施するための形態】
【０００９】
以下、本発明の一実施形態を、図面に基づいて説明する。図１は、本発明を適用した遊技機（スロットマシン）の正面図、図２は、前扉を開けた状態の遊技機の正面図、図３は、図２におけるIII−III線縦断面図、図４は、制御基板ユニットの分解斜視図、図５は、制御基板ユニットの正面図、図６は、制御基板ユニットの斜視図、図７は、主制御基板を基板ケースに収容した状態の制御基板ユニットの分解斜視図である。なお、以下の説明では、図１において図面手前側を「前方または表面側」とし、図面奥側を「後方または裏面側」とし、左側を「左方」とし、右側を「右方」とする。
【００１０】
遊技機１としてのスロットマシンは、前面が開放した正面視矩形の筐体２と、筐体２の左側部に上下１対のヒンジ４により開閉可能に枢支された前扉３とを備える。
【００１１】
なお、本実施形態において、遊技機１を遊技媒体がメダル（コインを含む）とするスロットマシンとして説明するが、本発明は、これに特定されるものでなく、遊技機１を遊技媒体がパチンコ玉であるスロットマシンまたはパチンコ機としても良い。
【００１２】
図２、３に示すように、筐体２内は、上棚板５及び下棚板６により上、中、下部屋２Ａ、２Ｂ、２Ｃに仕切られる。筐体２内の上部屋２Ａには、図柄、数字等で構成される識別情報を外周面に付記した３個の回転リール７１を有する回転リールユニット７が配置される。中部屋２Ｂには、遊技を統括的に制御する後述の主制御基板１０を含む制御基板ユニット９と、主制御基板１０の命令に基づいて後述の液晶表示装置１５、スピーカ１６、ランプ等を制御する副制御基板１２と、主制御基板１０の命令に基づいて回転リールユニット７を制御する回転リール制御基板１３とが配置される。下部屋２Ｃには、メダルを貯留及び払出可能なホッパーユニット８と、外部電源を各種遊技機器へ供給する電源ユニット１１が配置される。
【００１３】
図１に示すように、前扉３の前面上部には、回転リール７１の識別情報を３こまずつ透視可能な識別情報表示窓３１が設けられ、同じく識別情報表示窓３１の下方には、液晶表示装置１５に表示される遊技情報及び演出情報を透視可能な演出情報表示窓３２が設けられ、同じく演出情報表示窓３２の下方には、遊技を行うときにメダルが投入されるメダル投入部１４と、メダルの賭数を設定するベットスイッチボタン３３と、全ての回転リール７１を一斉に回転させるときに操作されるスタートスイッチレバー３４と、各回転リール７１の回転を個別に停止させるときに操作される３個のストップスイッチボタン３５等が設けられる。ベットスイッチボタン３３、スタートスイッチボタン３４、ストップスイッチボタン３５の各操作信号は、主制御基板１０に入力され、主制御基板１０は、各操作信号に基づいて各遊技機器を制御する。
【００１４】
図２、３に示すように、前扉３の裏面には、遊技に関する遊技情報及び演出情報を表示可能な液晶表示装置１５、演出効果音を発生するスピーカ１６、多数のランプ（図示略）、及びその他の機器が配置されている。
【００１５】
遊技は、遊技者がメダルをメダル投入部１４に投入した後、ベットスイッチボタン３３によりメダルの賭数を設定した後、スタートスイッチレバー３４を操作して、全ての回転リール７１を回転させることによって開始される。
【００１６】
回転リール７１が回転して所定時間が経過した後、３個のストップスイッチボタン３５を順次操作して、各回転リール７１の回転を停止させ、停止した３個の回転リール７１の識別情報の組み合わせにより、入賞の有無、及び賞の大小に応じたメダルの配当枚数が確定され、入賞した場合には、予め定めた入賞枚数分だけホッパーユニット８から前扉３の下部に設けたメダル受皿３６にメダルが払い出される。
【００１７】
図４〜図７に示すように、制御基板ユニット９は、各種電子部品が実装された主制御基板１０と、主制御基板１０を収容する透明な合成樹脂製の基板ケース２０と、筐体２の後板２Ｄに固定される基板ベース４０とを含む。
【００１８】
基板ベース４０は、金属製の第１ベース部材５０と、第１ベース部材５０と共に複数のネジ４１により筐体２の後板２Ｄに固定される合成樹脂製の第２ベース部材６０と、第２ベース部材６０の右端部に締結部材をなす２本のネジ４２により着脱可能に固定される合成樹脂製の封止固定部材６５とを含む。
【００１９】
第２ベース部材６０は、正面視横長矩形をなし、右側に基板ケース２０が取り付けられる基板ケース取付領域部６０１、また、左側に中継基板８０が取り付けられる中継基板取付領域部６０２をそれぞれ有し、基板ケース取付領域部６０１の左端部には、基板ケース２０の左端部に係合し得るように、前方へ突出する上下２個のＬ字状の係合片６０３が設けられ、また、同じく右部には、封止固定部材６５を第２ベース部材に固定するためのネジ４２が挿入される上下２個のネジ挿入孔６０４が穿設されている。さらには、第２ベース部材６０の左縁には、中継基板８０の左端縁に係合し得るように、前方へ突出する舌片爪状の係合片６０５ａが設けられ、また、右部上下縁には、基板ケース３０の上下端に係合し得るように、前方へ突出する舌片爪状の係合片６０５ｂが設けられている。なお、主制御基板１０を収容した基板ケース２０を第２ベース部材６０の基板ケース取付領域部６０１に固定した状態においては、封止固定部材６５を第２ベース部材６０に締結したネジ４２の頭部が、基板ケース２０により隠蔽されて、固定ベース部材６５を第２ベース部材６０から分離することができないようになっている。
【００２０】
封止固定部材６５は、ネジ４２により第２ベース部材６０の右端部に固定されると共に、その右端には、後述の封止部２２１、２２２の周辺を囲むように防護壁６５１が突設され、防護壁６５１の左側、すなわち防護壁６５１により囲われる内側には、締め方向しか回せないワンウェイネジにより構成される封止部材６６の先端が係合可能な４個の封止孔６５２を上下方向に並設した封止固定部６５３が設けられている。さらには、封止固定部材６５の下部には、基板ケース２０と封止固定部材６５とを封印するための封印シール６７の下半分が貼着される前面が平坦な封印シール貼着部６５４が設けられている。
【００２１】
図４に示すように、基板ケース２０は、主制御基板１０の裏面側を覆う第１ケース部材２１と、同じく表面側を覆う第２ケース部材２２とを含む。第１ケース部材２１の右端部には、封止部材６６の先端が係合可能な上下２個の円筒状の固定部２１２が設けられ、また、同じく周縁には、前方へ突出する３個の爪部２１１が設けられている。
【００２２】
第２ケース部材２２の右端部には、第１ケース部材２１の固定部２１２の前面に重合し、かつ封止部材６６が挿入可能な上下２個の円筒状の封止部２２１と、封止固定部材６５の各封止孔６５２に重合し、かつ封止部材６６が挿入可能な４個の円筒状の封止部２２２が設けられている。また、同じく前面には、主制御基板１０に実装された設定変更スイッチ１０２、設定変更キーシリンダ１０３、打ち止め有無スイッチ１０４を露出させる開口部２２３、２２４、２２５と、これらの開口部２２３、２２４、２２５を開閉可能な開閉蓋２２６が設けられている。なお、各封止部２２１、２２２は、工具等で切断可能な薄肉状の切断部を介して第２ケース部材２２の右端部に連設されている。さらに、第２ケース部材２２の前面には、第１ケース部材２１の各爪部２１１が係合可能な係合孔２２７が穿設されている。
【００２３】
第２ケース部材２２は、第１ケース部材２１の各爪部２１１を各係合孔２２７に係合させると共に、封止部材６６をもって、封止部２２１と固定部２１２とを互いに結合することによって、第１ケース部材２１の前面に開放不能に固定される。
【００２４】
主制御基板１０は、第１ケース部材２１と第２ケース部材２２との間に収容された状態で、第２ケース部材２２の背面に複数のネジ２３によって固定される。主制御基板１０の前面には、遊技動作を統括的に制御する電子部品１０１、設定変更スイッチ１０２、設定変更キーシリンダ１０３、打ち止め有無スイッチ１０４、及び外部コネクタ（図示略）が接続される複数のコネクタ１０５が実装されている。
【００２５】
次に、制御基板ユニット１０の取付け及び取外し要領について説明する。先ず、第２ベース部材６０の右端部に、ネジ４２により封止固定部材６５を固定すると共に、第２ベース部材６０の背面に第１ベース部材５０を仮止めした状態で、ネジ４１をもって、第１ベース部材５０及び第２ベース部材６０を筐体２の後板２Ｄに固定する。
【００２６】
続いて、主制御基板１０を収容した基板ケース２０の左端部を、第２ベース部材６０の係合片６０３に係合させると共に、同じく上下縁を、上下の係合片６０５ｂに係合させた状態で、封止部材６６を封止部２２２に挿入し、その先端を封止固定部材６５の封止孔６５２に係合させて、封止部２２２を封止固定部材６５の封止固定部６５３に固定する。これによって、基板ケース２０は、第２ベース部材６０及び封止固定部材６５の前面に固定される。基板ケース２０を第２ベース部材６０及び封止固定部材６５に固定した後、基板ケース２０と基板ベース４０とを封印するため、封印シール６７を、封止固定部材６５の封印シール貼着部６５４とこれに隣接する第２ケース部材２２との境目にかかるように貼着する。
【００２７】
なお、基板ケース２０を第２固定部材６０及び封止固定部材６５に固定する前、基板ケース２０における第１ケース部材２１と第２ケース部材２２は、封止部２２１と固定部２１２とが封止部材６６によって互いに固定されて封止されているため、封止部２２１を切断しない限り、基板ケース２０を開放することは実質的に不可能である。
【００２８】
基板ケース２０を第２ベース部材６０、封止固定部材６５及び第１封止部材５０を介して、筐体２の後板２Ｄに固定した状態においては、封止部材６６をもって、封止部２２２が固定部材６５の封止固定部６５３に固定されているため、封止された封止部２２２を切断しない限り、基板ケース２０を、筐体２の後板２Ｄから取り外すことは実質的に不可能である。また、各封止部２２１、２２２の周辺は、封止固定部材６５の防護壁６５１により包囲されているため、各封止部２２１、２２２を、不正具等を用いて変形させ、封止部材６６を各封止部２２１、２２２から取り外すような不正行為を阻止することができる。
【００２９】
さらには、封止固定部材６５を第２ベース部材６０に固定したネジ４２の頭部が、基板ケース２０により隠蔽されるため、封止固定部材６５を第２ベース部材６０から分離させることは、基板ケース２０を第２ベース部材６０から取り外さない限り、実質的に不可能である。これにより、不正行為等で、封止固定部材６５が第２ベース部材６０から分離させられることを確実に阻止することができる。
【００３０】
筐体２に取り付けられた主制御基板１０の検査を行なう場合には、封止部材６６により封止された封止部２２２を、ニッパー等の工具で切断して第２ケース部材２２から分離すると共に、基板ケース２０に係合した係合片６０３、６０５ｂの係合を解除して、封印シール６７を剥がすことによって、基板ケース２０を基板ベース４０から取り外すことができる。
【００３１】
基板ケース２０を基板ベース４０から取り外した後、封止部材６６により封止された封止部２２１を切断することにより、基板ケース２０を開封して主制御基板１０を取り出すことができる。
【００３２】
また、主制御基板１０を交換する等して、遊技機１の遊技内容を変更する場合には、上述と同様な作業手順で基板ケース２０を基板ベース４０から取り外し、主制御基板１０を新しいものに交換する。また、基板ケース２０も、封止部２２１、２２２が切断されて再利用することはできないため、新しいものに交換される。
【００３３】
この場合、従来においては、基板ケース２０を基板ベース４０から取り外しても、基板ベース４０に切断された封止部２２２及び封止部材６６が付着しているため、基板ベース４０をそのまま再利用することはできないことから、基板ベース４０全体を新しいものに交換する必要がある。しかし、本発明における実施形態においては、ネジ４２を取り外すことによって、封止部２２２が付着された封止固定部材６５を、筐体２に固定された第２ベース部材６０から分離できるため、封止固定部材６５のみを新しいものに交換するだけで、筐体２に固定された第１ベース部材５０及び第２ベース部材６０を、筐体２に取り付けたまま再利用することができる。また、封印シール６７は、第２ケース部材２２と封止固定部材６５の封印シール貼着部６５４とに貼着されるため、第２ベース部材６０には、封印シール６７を貼着した痕跡が残らず、第２ベース部材６０を、元の形態のまま再利用することができる。さらには、第１ベース部材５０及び第２ベース部材６０を筐体２の後板２Ｄから取り外す必要がないため、第１ベース部材５０及び第２ベース部材６０を後板２Ｄに締結するためのネジ４１が係合する後板２Ｄのねじ孔が馬鹿孔になることがないため、後板２Ｄのねじ孔を修復する必要はない。
【００３４】
以上、本発明の実施形態について説明したが、本発明の要旨を逸脱しない範囲内で、本実施形態に対して、次のような種々の変形や変更を施すことが可能である。
（ｉ）基板ベース４０における第１ベース部材５０を合成樹脂製にするか、または第２ベース部材６０を金属製として、第１ベース部材５０と第２ベース部材６０とを一体的に形成し、一体的に形成したベース部材に対して、封止固定部材６５を着脱可能に固定する。
（ii）封止部２２１、２２２の数を適宜変更する。
（iii）封止部材６６をワンウェイネジに代えて合成樹脂製の係合ピンとする。
（iv）封止固定部材６５を第２ベース部材６０に固定するための締結部材を、ネジ４２に代えて、合成樹脂製の係合ピン等の取付部材にする。
【符号の説明】
【００３５】
１  遊技機（スロットマシン）
２  筐体
２Ａ  上部屋
２Ｂ  中部屋
２Ｃ  下部屋
２Ｄ  後板
３  前扉
４  ヒンジ
５  上棚板
６  下棚板
７  回転リールユニット
８  ホッパーユニット
９  制御基板ユニット
１０  主制御基板
１１  電源ユニット
１２  副制御基板
１３  回転リール制御基板
１４  メダル投入部
１５  液晶表示装置
１６  スピーカ
２０  基板ケース
２１  第１ケース部材
２２  第２ケース部材
２３  ネジ
３１  識別情報表示窓
３２  演出情報表示窓
３３  ベットスイッチボタン
３４  スタートスイッチレバー
３５  ストップスイッチボタン
３６  メダル受皿
４０  基板ベース
４１  ネジ
４２  ネジ（締結部材）
５０  第１ベース部材
６０  第２ベース部材
６５  封止固定部材
６６  封止部材
６７  封印シール
７１  回転リール
８０  中継基板
１０１  電子部品
１０２  設定変更スイッチ
１０３  設定変更キーシリンダ
１０４  打ち止め有無スイッチ
１０５  コネクタ
２１１  爪部
２１２  固定部
２２１  封止部
２２２  封止部
２２３、２２４、２２５  開口部
２２６  開閉蓋
２２７  係合孔
６０１  基板ケース取付領域部
６０２  中継基板取付領域部
６０３  係合片
６０４  ネジ挿入孔
６０５ａ、６０５ｂ  係合片
６５１  防護壁
６５２  封止孔
６５３  封止固定部
６５４  封印シール貼着部
【図１】
2014087598.tif 000003
【図２】
2014087598.tif 000004
【図３】
2014087598.tif 000005
【図４】
2014087598.tif 000006
【図５】
2014087598.tif 000007
【図６】
2014087598.tif 000008
【図７】
2014087598.tif 000009